(57)【要約】      （修正有）【課題】配線用ダストカバーの異物に対する密封性を維持しながら、配線用ダストカバーのコンパクト化及びコストの低減を可能とする。【解決手段】電線または光伝送路などの配線５と相手部材３との間の結線領域１６を覆って密封する配線用ダストカバーにおいて、配線用ダストカバー１は、ゴム等の弾性部材で構成された可撓性を有する本体胴部１ａと、本体胴部１ａの両端に備えられる外装４の外周面に嵌合されて固定される第２固定部１ｃと、相手部材３の外周面１４に嵌合されて固定される第１固定部１ｂとを有し、第１固定部１ｂには、配線５の軸方向に伸び第１固定部１ｂの内側に折り返し可能な延長舌部１７を備え、第１固定部１ｂの内側に折り返された延長舌部１７と第１固定部１ｂとの間でシールド部材２を挟み込み、第１固定部１ｂを相手部材３に固定すると同時にシールド部材２を第１固定部１ｂと延長舌部１７との間で挟持しながら固定するようにしている。【選択図】図１
2015185499.tif 000002
【特許請求の範囲】
【請求項１】
電線または光伝送路などの配線の周囲をシールド部材と外装とで覆い、前記外装から露出した前記配線の端部に相手部材を接続し、前記相手部材と前記外装との間に跨がって前記配線と前記相手部材との間の結線領域を覆って密封する配線用ダストカバーにおいて、
前記配線用ダストカバーは、ゴム等の弾性部材で構成された可撓性を有する本体胴部と、該本体胴部の両端に備えられる前記外装の外周面に嵌合されて固定される第２固定部と、前記相手部材の外周面に嵌合されて固定される第１固定部とを有し、
前記第１固定部には、前記配線の軸方向に伸び前記第１固定部の内側に折り返し可能な延長舌部を備え、
前記第１固定部の内側に折り返された前記延長舌部と前記第１固定部との間で前記シールド部材を挟み込み、前記第１固定部を前記相手部材に固定すると同時に前記シールド部材を前記第１固定部と前記延長舌部との間で挟持しながら固定する
ことを特徴とする配線用ダストカバー。
【請求項２】
前記第１固定部と、前記延長舌部との境界部に前記第１固定部並びに前記延長舌部よりも薄肉の薄肉部を設けることを特徴とする請求項１記載の配線用ダストカバー。  
【請求項３】
前記延長舌部には、径方向内側に膨れた突起部を有することを特徴とする請求項１または２記載の配線用ダストカバー。
【請求項４】
前記延長舌部には、径方向外側に膨れた突起部を有することを特徴とする請求項１から３のいずれか１つに記載の配線用ダストカバー。
【請求項５】
電線または光伝送路などの配線の周囲をシールド部材と外装とで覆い、前記外装から露出した前記配線の端部に相手部材を接続し、前記相手部材と前記外装との間に跨がって前記配線と前記相手部材との間の結線領域を覆って密封する配線用ダストカバーの組み付け方法において、
請求項１から４のいずれか１つに記載の配線用ダストカバーの前記第１固定部の内周面に前記シールド部材の端部を沿わせ、前記延長舌部を第１固定部の内側に折り返して前記第１固定部と前記延長舌部との間で前記シールド部材を挟み込み、前記シールド部材ともども前記第１固定部を前記相手部材に嵌合させてから前記第１固定部の外周面から第１固定部用クランプで締め付けて前記延長舌部と前記相手部材との間でシールを構成して前記第１固定部を前記相手部材に固定する工程と、
前記第２固定部を前記外装の外周面に嵌合させて固定する工程とを有する
ことを特徴とする配線用ダストカバー組み付け方法。  
【発明の詳細な説明】
【技術分野】
【０００１】
本発明は、配線とその端末に備えられる機器接続部（本明細書では、相手部材と呼ぶ）との間の結線領域を覆う配線用ダストカバー及びその取り付け方法に関する。さらに詳述すると、本発明は、電線または光伝送路などの配線の周囲をシールド部材と外装とで覆い、外装から露出した配線の端部に接続された相手部材と外装との間に跨がって配線と相手部材との間の結線領域を覆って密封する配線用ダストカバー及びその取り付け方法に関する。
【背景技術】
【０００２】
ハイブリッド自動車や電気自動車等の車両に搭載されている自動車機器、例えばモータユニットやインバータユニット、バッテリーなどの機器においては、それらの間で電気信号や光信号を送るための電気ケーブルや光ファイバーケーブル等の配線として、配線の周りをシールド部材例えば一般には細い銅線を編んだ編組線で覆うなどの電磁波対策が施されたものが使用される。さらに、この配線において端末にコネクタ等の相手部材が備えられている場合には、配線と相手部材とを接続・結線する結線領域においても電磁対策が必要となることから、結線領域をすっぽりと覆うようにシールド部材を相手部材の端部を囲うように取り付けることが要求される。
【０００３】
また、この種の配線は、配線及びシールド部材に例えば水分や油分、塵埃等の異物が侵入しないようにコルゲートチューブなどの外装で覆われ、さらに、配線と相手部材とを接続・結線する結線領域においては、外装から剥き出しとなった配線及びシールド部材に異物や水分などが侵入しないようにするため、ケーブル外装から剥き出しとなった配線と相手部材との間の結線領域の周りを密封し、防塵・防水を図るゴム製の配線用ダストカバーで覆うことが望まれる。
【０００４】
このとき、編組線から成るシールド部材を相手部材の端部を囲うように被せてから、その周りに配線用ダストカバーを被せて締結バンドで固定しようとすると、編組線の編みの間に生ずる隙間から相手部材の外周面と配線用ダストカバーの固定部位との間の密封が破られるため、雨水などの水分や油分あるいは塵埃などの侵入を完全に防ぐことができないことが考えられる。つまり、配線用ダストカバーの働きに支障をきたす虞がある。勿論、シールド部材としては、配線の可撓性を確保するため編組線が用いられることが多いが、アルミ製テープなどを用いる場合など、配線用ダストカバーの固定部と相手部材との間に介在物を置く場合には、隙間ができやすく密封性が損なわれることとなる。
【０００５】
そこで、配線用ダストカバーとシールド部材とを併用する場合には、相手部材の配線用ダストカバーを取り付ける部位よりも内側でかつ配線用ダストカバーで密封される空間内の部位でシールド部材を単独で固定するようにしている（特許文献１）。例えば図４に示すように、配線用ダストカバー１０１で覆われる内側の空間１１１にシールド部材１０２を相手部材１０３に固定するためだけのスペース・取付け部位１０５を確保し、シールド部材固定用クランプ１０６で外装１０４から露出したシールド部材１０２の端を相手部材１０３の専用取付けスペース１０５に固定した後に、シールド部材１０２の固定位置よりも外側で相手部材１０３と外装１０４との間に跨がるように配線用ダストカバー１０１を配置して、その両端１０７，１０８をそれぞれ配線用ダストカバー締結用クランプ１０９，１１０で固定するようにしている。つまり、従来の配線用ダストカバー１０１においては、異物に対する密封性を維持するためには、シールド部材１０２とは別々に固定する必要があることから、シールド部材１０２が固定される位置よりもさらに外側の位置で固定することが必要となる。  
【先行技術文献】
【特許文献】
【０００６】
【特許文献１】特開２０１４−２２０４４号公報
【発明の概要】
【発明が解決しようとする課題】
【０００７】
しかしながら、配線用ダストカバー１０１で覆われる内側の空間１１１にシールド部材１０２を相手部材１０３に固定するためのスペース１０５とシールド部材固定用クランプ１０６とを別個に必要とするため、部品点数の増加と相手部材１０３に複雑な形状のスペース１０５を加工するための加工費用等のコストが増加してしまう問題がある。しかも、シールド部材１０２を単独で固定するための専用スペース１０５を確保せざるを得ないので、その分だけ配線軸方向のスペースが増え、配線の軸方向のコンパクト化を妨げる。
【０００８】
また、シールド部材固定用クランプ１０６が配線用ダストカバー１０１の内周面に干渉しないように配線用ダストカバー１０１の内径を大きくする必要があり、配線用ダストカバー１０１が大型化してしまう問題がある。
【０００９】
本発明は、配線用ダストカバーの異物に対する密封性を維持しながら、配線用ダストカバーのコンパクト化及びコストを低減させる配線用ダストカバー並びに配線用ダストカバーの組み付け方法を提供することを目的とする。
【課題を解決するための手段】
【００１０】
かかる目的を達成するため、請求項１記載の発明は、電線または光伝送路などの配線の周囲をシールド部材と外装とで覆い、外装から露出した配線の端部に相手部材を接続し、相手部材と外装との間に跨がって配線と相手部材との間の結線領域を覆って密封する配線用ダストカバーにおいて、配線用ダストカバーは、ゴム等の弾性部材で構成された可撓性を有する本体胴部と、該本体胴部の両端に備えられる外装の外周面に嵌合されて固定される第２固定部と、相手部材の外周面に嵌合されて固定される第１固定部とを有し、第１固定部には、配線の軸方向に伸び第１固定部の内側に折り返し可能な延長舌部を備え、第１固定部の内側に折り返された延長舌部と第１固定部との間でシールド部材を挟み込み、第１固定部を相手部材に固定すると同時にシールド部材を第１固定部と延長舌部との間で挟持しながら固定するようにしている。
【００１１】
また、請求項２記載の発明は、請求項１記載の配線用ダストカバーにおいて、第１固定部と、延長舌部との境界部に第１固定部並びに延長舌部よりも薄肉の薄肉部を設けるようにしている。
【００１２】
また、請求項３記載の発明は、請求項１または２記載の配線用ダストカバーにおいて、延長舌部に径方向内側に膨れた突起部を備えるようにしている。
【００１３】
また、請求項４記載の発明は、請求項１から３のいずれか１つに記載の配線用ダストカバーにおいて、延長舌部に径方向外側に膨れた突起部を備えるようにしている。
【００１４】
また、請求項５記載の発明は、電線または光伝送路などの配線の周囲をシールド部材と外装とで覆い、外装から露出した配線の端部に相手部材を接続し、相手部材と外装との間に跨がって配線と相手部材との間の結線領域を覆って密封する配線用ダストカバーの組み付け方法において、請求項１から４のいずれか１つに記載の配線用ダストカバーの第１固定部の内周面にシールド部材の端部を沿わせ、延長舌部を第１固定部の内側に折り返して第１固定部と延長舌部との間でシールド部材を挟み込み、シールド部材ともども第１固定部を相手部材に嵌合させてから第１固定部の外周面から第１固定部用クランプで締め付けて延長舌部と相手部材との間でシールを構成して第１固定部を相手部材に固定する工程と、第２固定部を外装の外周面に嵌合させて固定する工程とを有することを特徴とする。
【発明の効果】
【００１５】
請求項１記載の配線用ダストカバーによれば、相手部材の外周面に嵌合される第１固定部の先端に内側に折り返し第１固定部との間でシールド部材を挟み込む延長舌部を設け、第１固定部の内側に延長舌部を折り返してから第１固定部用クランプで締め付けて固定するようにしているので、第１固定部を相手部材に固定すると同時にシールド部材を第１固定部と延長舌部との間で挟持しながら固定することができる。したがって、第１固定部と該第１固定部と連続した延長舌部とでシールド部材が覆われて大気に露出されることがなく、同時に、延長舌部と相手部材との接触面がシール面となって異物に対し密封性を確保することができる。他方、外装と第２固定部との間においても、第２固定部と外装との接触面がシール面となって異物に対し密封性を確保することができる。依って、本発明の配線用ダストカバーは、両端の第１及び第２の固定部における固定だけで、相手部材と外装との間の結線領域を密封して外部からの異物の侵入を防ぐことができる。
【００１６】
しかも、配線用ダストカバーの第１固定部を相手部材に取り付けるのと同時に第１固定部と内側に折り返された延長舌部との間でシールド部材を締め付けて固定することが可能となる。即ち、同じ位置で且つ同じクランプで配線用ダストカバーとシールド部材との固定が可能となるため、配線用ダストカバーで覆われる内側の空間でシールド部材だけを相手部材に固定するためのスペースと、シールド部材だけを単独で固定するためのシールド部固定用クランプとを必要とせず、部品点数を減らすと共に相手部材にシールド部材を取り付けるための複雑な形状のスペースを加工する手間あるいは部品を省け、加工費用等のコストを削減できる。
【００１７】
また、相手部材側にシールド部材のみを固定するためのスペースを必要としないため、シールド部材のみを固定するためのスペース分の配線軸方向のスペースを削減でき、配線の軸方向のコンパクト化が可能となる。さらに、シールド部材固定用クランプを必要としないため、同クランプが配線用ダストカバーの内周面に干渉しないように配線用ダストカバーの内径を大きくする必要がなくなるので、配線用ダストカバーの寸法が大きくなるのを防ぐことができる。
【００１８】
したがって、配線用ダストカバーによる密封性を維持したままコスト削減と省スペース化が可能となる。
【００１９】
また、請求項２記載の発明にかかる配線用ダストカバーは、第１固定部と、延長舌部との間に薄肉部を設けているので、ゴム等の弾性部材で構成されていることと相俟って、延長舌部を内周面側に容易に折り返すことができる。
【００２０】
また、請求項３記載の発明にかかる配線用ダストカバーは、延長舌部に径方向内側に膨れた突起部、即ち延長舌部を第１固定部の内側に折り返したときに第１固定部の内周面側に向けて膨れる突起部を設けているので、延長舌部を第１固定部の内側に折り返して第１固定部用クランプで締め付けたときに、突起部を介在させることで延長舌部と第１固定部との間のシールド部材に対する締め付け力が増してシールド部材が抜け難くなる。
【００２１】
また、請求項４記載の発明にかかる配線用ダストカバーは、延長舌部に径方向外側に膨れた突起部、即ち延長舌部を第１固定部の内側に折り返したときに相手部材の外周面と接する内周面側となる面に膨れる突起部を設けているので、第１固定部を相手部材の外周面に嵌合させようとするときに、突起部と相手部材の端部とが接触することで、ダストカバーの取り付け位置の特定が容易になる。特に、延長舌部の先端に相手部材の外周面と接する内周面側となる面に膨れる突起部を設ける場合、延長舌部のほぼ全長・全域が相手部材の外周面に嵌合された状態で位置決めされるので、第１固定部の嵌合不足によるシール不良を招くことがない。
【００２２】
また、本発明の配線用ダストカバーの取り付け方法によれば、ダストカバーの第１固定部の内周面にシールド部材の端部を沿わせてから延長舌部を内周面側に折り返し、延長舌部を内側にした状態で相手部材の外周面に嵌合させて第１固定部用クランプで締め付けて固定するだけの操作で、シールド部材を第１固定部と延長舌部との間で大気に露出させることなく挟持しつつ、第１固定部とシールド部材とを同時に相手部材に固定させることができる。したがって、第１固定部とシールド部材とを同時に第１固定部用クランプで相手部材に固定する一方、第２固定部を外装の外周面に固定するだけの簡単な手順で、シールド部材を大気に露出させることなく、相手部材と外装との間に跨がって結線領域を密封する配線用ダストカバーを取り付けることができる。
【図面の簡単な説明】
【００２３】
【図１】本発明にかかる配線用ダストカバーの一実施形態を示す縦断面図である。
【図２】同配線用ダストカバーの第１の固定部と延長舌部との関係を示す半裁説明図である。
【図３】本発明にかかる配線用ダストカバーの相手部材への装着作業の説明図で、（Ａ）は延長舌部を内側に折り曲げた第１固定部を相手部材の端部に当接した装着直前の状態、（Ｂ）は装着完了状態を示す。
【図４】従来の配線用ダストカバーとシールド部材とを併用するコネクタのを概略的に示す説明図である。
【発明を実施するための形態】
【００２４】
以下、本発明の構成を図面に示す実施形態に基づいて詳細に説明する。
【００２５】
図１及び図２に、本発明の配線用ダストカバーの一実施形態を示す。この配線用ダクトカバー１は、電線または光伝送路などの配線５の周囲をシールド部材２と外装４とで覆い、外装４から露出した配線５の端部の端子に相手部材３を接続し、相手部材３と外装４との間に跨がって配線５と相手部材３との間の結線領域１６を覆い密封するようにしている。
【００２６】
配線用ダストカバー１は、全体が例えばＥＰＤＭゴム等の弾性部材で構成され、可撓性を有する本体胴部１ａと両端の第１固定部１ｂ及び第２固定部１ｃとを備えるように設けられている。具体的には、本実施形態の配線用ダストカバー１は、蛇腹状の本体胴部１ａの両端に第１固定部１ｂと第２固定部１ｃとを備える。
【００２７】
ここで、第１固定部１ｂは、相手部材３の外周面１４に嵌合されて第１固定部用クランプ６によって周囲から締め付けられることによって相手部材３に固定されるものであり、先端には配線５の軸方向に伸び尚且つ第１固定部１ｂの内側に折り返し可能な延長舌部１７を備えている。即ち、第１固定部１ｂは、延長舌部１７を内側に折り返すことによって、延長舌部１７を内周面として相手部材３の外周面１４に嵌合され、第１固定部用クランプ６で締め付けられるように用いられる。第１固定部は折り返された延長舌部を介して相手部材に締め付けられるので、延長舌部と相手部材との接触面がシール面となり、異物に対して密封性を確保することができる。同時に、第１固定部１ｂはその内側に折り返された延長舌部１９と第１固定部１ｂとの間でシールド部材２を挟み込み、シールド部材２を第１固定部１ｂと延長舌部１７との間で挟持しながら相手部材に対し固定される。
【００２８】
第１固定部１ｂ及び延長舌部１７は、第１固定部１ｂの内側に延長舌部１７を折り返した状態において、延長舌部１７が相手部材３の外形と適合（フィット）する筒形に形成されている。ここで、相手部材３の外周面１４に適合する第１固定部１ｂ及びその内側の延長舌部１７の形状とは、相手部材３の外周面１４とほぼ同じ大きさ・形状の内寸かあるいは拡げることで相手部材３の外周面１４に密着するように嵌合される大きさ・形状の内寸を有すること、若しくは第１固定部用クランプ６で締結したときに密着する関係にあることを意味し、僅かに拡げることで外周面１４に嵌合させて密着させ得る大きさ・形状であることが好ましい。
【００２９】
本実施形態の配線用ダストカバー１はＥＰＤＭゴムを使用している。これによって、第１固定部１ｂの先端に一体成形される延長舌部１７が第１固定部１ｂの内側に折り返され易い弾性・柔軟性を得ている。さらに、第１固定部１ｂと延長舌部１７との間の境界部に、第１固定部１ｂ並びに延長舌部１７よりも薄肉の薄肉部１８を設けることによって、構造的に延長舌部１７が第１固定部１ｂの内側に折り返され易い弾性・柔軟性を得るようにしている。即ち、本実施形態の場合、ＥＰＤＭゴムを使用して配線用ダストカバー１を構成すると共に第１固定部１ｂと延長舌部１７との間に薄肉部１８のヒンジ構造を設けることによって、材質的かつ構造的に十分な弾性・柔軟性を得るようにしているが、これに特に限られるものではなく、材質的あるいは構造的のいずれか一方で延長舌部１７を内側に折り返し可能とする弾性・柔軟性を得るようにしても良い。尚、配線用ダストカバー１の材質としては、本実施形態の場合、ＥＰＤＭゴムを使用しているが、これに限定されるものではなく、天然ゴム、合成ゴム、ゴム状弾性部材（エラストマー）等を使用しても良い。
【００３０】
他方、第２固定部１ｃは、外装４の外周面１１に嵌合されて第２固定部用クランプ７によって周囲から締め付けられて外装４に固定されるものであり、外装４の外周面１１に適合する内周面を有する筒形に形成されている。ここで、外装４の外周面１１に適合する第２固定部１ｃの外周面１２とは、外装４の外周面１１とほぼ同じ大きさ・形状の内寸かあるいは拡げることで外装４の外周面１１に密着するように嵌合される大きさ・形状の内寸を有すること、若しくは第２固定部用クランプ７で締結したときに密着する関係にあることを意味し、僅かに拡げることで外周面１１に嵌合させて密着させ得る大きさ・形状であることが好ましい。
【００３１】
また、延長舌部１７には、径方向内側あるいは外側の少なくともいずれか一方に膨れた突起部１９が備えられることが好ましい。本実施形態の場合、延長舌部１７の先端に径方向内側及び外側の双方に膨れた軸断面球状の突起部１９が形成されている。ここで、突起部１９は、延長舌部１７の先端のみに設けられることに限定されるものではなく、延長舌部１７の任意の位置に設けるようにしても良いが、延長舌部１７の先端に設けることが好ましい。この場合、延長舌部１７を内側に折り返した状態の第１固定部１ｂを相手部材３に装着するときに、突起部１９が相手部材３の端部８に当接して抵抗感を与えるので、その抵抗を感じた地点を第１固定部１ｂの取り付け位置として容易に判断することができる。即ち、突起部１９と相手部材３の端部８とが接触することで、ダストカバー１の取り付け位置の特定が容易になる。そして、その取り付け位置に達したと判断されるときには、先端の突起部１９を除いた延長舌部１７のほぼ全長・全域が相手部材３の外周面１４に嵌合された状態であるので、第１固定部１ｂの軸方向の嵌合不足によるシール不良を招くことが少ない。勿論、相手部材３の外周面１４側に膨らむ突起部１９は、必ずしも延長舌部１７の先端に設けなくとも良く、第１固定部１ｂの内側に延長舌部１７を折り返した状態において相手部材３の外周面１４と対向する面の任意の位置に設けるようにしても良い。この場合においても、延長舌部１７の先端に突起部１９を備える場合と同様の効果が得られる。延長舌部１７ひいては第１固定部１ｂの相手部材３への装着方向（以下、軸方向と呼ぶ）へのストッパとして機能し、取り付け位置を特定して一定位置に保つことができる。
【００３２】
また、延長舌部１７の先端に径方向内側に膨れた突起部１９を設けることは、相手部材３の端部８に押しつけられた際に、径方向内側に膨らむ突起部１９と相手部材３の端部８との間で接触を生む。したがって、延長舌部１７の先端の径方向内側に膨れた突起部１９が周方向に連続したものであれば、延長舌部１７ひいては第１固定部１ｂの相手部材３への軸方向並びに径方向へのシール効果を生む。これによって、第１固定部用クランプ６による締め付けによって構成される延長舌部１７の内周面と相手部材３の外周面１４との間の径方向のシールと相俟って、密封性がさらに高まることとなる。勿論、径方向内側に膨れる突起部１９は、延長舌部１７の先端あるいはその近傍に設けられることが第１固定部１ｂの軸方向の嵌合不足あるいは短尺化を図る上で好ましい。しかし、径方向内側に膨れる突起部１９は、延長舌部１７の先端あるいはその近傍に設けられることに限られず、相手部材３の外周面１４と対向する面上のいずれかであれば任意の位置に設けても良い。この場合においても、突起部１９が周方向に連続したものであれば、突起部１９と相手部材３の端部８との接触によって、径方向及び軸方向の双方へのシール効果を生む。なお、突起部１９が周方向に不連続なものとして形成される場合や点在するように形成される場合には、突起部１９と相手部材の端部８との接触部における軸方向並びに径方向のシール効果が得られなくなるものの、第１固定部１ｂの取り付けの際の位置の特定や延長舌部１７と相手部材３とが径方向で接触することによって得られる密封性は維持される。
【００３３】
他方、延長舌部１７を第１固定部１ｂの内側に折り返したときに第１固定部１ｂの内周面側に向けて膨れる突起部、即ち、折り返された延長舌部１７の外周面側となる面に膨れる突起部（以下、径方向外側に膨れる突起部と呼ぶ）１９は、第１固定部１ｂを第１固定部用クランプ６で締め付けた際に、突起部１９が介在することにより延長舌部１７と第１固定部１ｂとの間のシールド部材２に対する締め付け力が増してシールド部材２が抜け難くなる。この径方向外側に膨れる突起部１９は、延長舌部１７と第１固定部１ｂとの間で確実にシールド部材２を挟み込んで固定するために延長舌部１７の先端あるいはその近傍に設けることが好ましい。この場合には、第１固定部１ｂの内周面９に沿って配置されるシールド部材２の端よりも内側でシールド部材２を強く挟持できるので、より確実にシールド部材２の抜け止めを図ることができる。勿論、径方向外側に膨れる突起部１９は、延長舌部１７の先端に限られず、第１固定部１ｂの内周面９と対向する面上の任意の位置に設けるようにしても良い。この場合においても、シールド部材２を延長舌部１７と第１固定部１ｂとの間で挟み込み固定することはできる。
【００３４】
さらに、径方向外側に膨れる突起部１９は、場合によっては点在させるように設けても良いし、連続的な線状（突条）としてあるいは断続的な線状として周方向に形成されたものであっても良い。シールド部材２側に向けて突出する突起部１９は、円周方向に不連続な線状あるいは点在するものとしても、シールド部材２を挟み込んで固定する効果を失うことがなく、延長舌部１７と第１固定部１ｂとの間でシールド部材２を挟み込む力を増して確実な固定を可能とする。
【００３５】
また、図２に示すような、延長舌部１７の径方向内側及び外側の双方に膨れた軸断面球状の突起部１９とする場合には、同じ位置で径方向内側及び外側の双方に膨れる突起部の相乗効果により、シールド部材２を抜け難くすると共に相手部材３に対する緊迫力を増してシール効果を高める。勿論、延長舌部１７の相手部材３の外周面と接触する面に突起部１９が設けられなくとも、第１固定用クランプで延長舌部１７の全域が相手部材と密着することにより、シール効果が得られることは言うまでもない。
【００３６】
尚、本実施形態では、径方向内側に膨れる突起部と径方向外側に膨れる突起部とを、同じ位置即ち延長舌部１７の先端に設けて軸断面球状に形成するようにしているが、これに特に限られるものではなく、別々の異なる位置に形成するようにしても良いし、いずれか一方に膨れた突起部１９だけを備えるようにしても良い。この場合においても、径方向内側に膨れる突起部を設けた効果と、径方向外側に膨れる突起部を設けた効果とをそれぞれ奏することができる。また、上述の延長舌部１７の先端に設けられる軸断面球状の突起部１９並びに径方向外側あるいは内側に膨れる突起部をそれぞれ単独で設ける場合においても、これら突起部は周方向に不連続な線状あるいは点在するものとして備えられても良い。この場合においても、突起部１９と相手部材３の端部８との間の軸方向のシール効果は得られなくなるが、延長舌部１７ひいては第１固定部１ｂの相手部材３の装着方向（軸方向）へのストッパとして機能する。また、延長舌部１７と第１固定部１ｂとの間のシールド部材２を挟み込んで抜け難く固定する効果も依然として得られる。
【００３７】
また、配線用ダストカバー１の横断面形状は、特定の形状に限られるものではなく、本実施形態の場合には全体に円筒形状としているが、角筒でも、楕円筒でも良いし、軸方向に異径であったり、形状が変化するものでも良い。相手部材３の外形状に応じた断面形状の筒形であれば良く、一方の固定部例えば第２固定部１ｃが円筒形でありながら他方の固定部例えば第１固定部１ｂ並びに本体胴部１ｃが矩形状などであっても良い。相手部材３などに応じた様々な形態を採りうる。
【００３８】
外装４は、本実施例の場合、コルゲートチューブを用いている。この場合、第２固定部１ｃの内周面１３にはコルゲートチューブの凹凸と嵌合する少なくとも１つの凸あるいは凹を備えることが好ましい。この場合、コルゲートチューブ４の外周面の凹凸と対応する第２固定部１ｃの内周面の凹凸を嵌合させることによって、第２固定部用クランプ７で締め付けなくとも軸方向に移動しないように噛み込ませることができる。勿論、外装４並びに第２固定部１ｃの内周面１３の全域が平滑なチューブとしても良い。
【００３９】
また、シールド部材２は、本実施形態の場合、細い銅線を編んだ編組線が用いられるが、これに特に限られるものではなく、一般的に配線の可撓性を確保するため銅線の使用が多いだけでその他の線材や形態であっても外部へ電磁波が漏れない部材であれば良い。例えば、配線の可撓性を確保し易いアルミ製テープや、導電性樹脂によって構成されたシールド材であっても良く、外装４から露出した端部を第１固定部１ｂと折り返した延長舌部との間に挟み込んでからクランプ６で固定させるようにしても良い。
【００４０】
以上のように構成される配線用ダストカバー１は、以下のようにして組み立てられる。
【００４１】
この配線用ダストカバー１は、外装４の端部と外装４から露出した配線５の末端に接続される相手部材３との間に配置され、本体胴部１ａの両端の第１固定部１ｂを相手部材３の外周面１４に並びに第２固定部１ｃを外装４の外周面１１にそれぞれ嵌合させてから固定することによって、相手部材３と外装４との間に跨がって配線５と相手部材３との間の結線領域１６を覆い密封する。外装４と相手部材３との間の結線領域１６に配線用ダストカバー１を配置する方法としては、特に限定されるものではないが、例えば外装４から露出した配線５の末端の端子と相手部材３とを接続する前に、配線５の末端の相手部材３に接続される前の端子側から挿入して配置される。配線用ダストカバー１の第２固定部１ｃ側を先頭にして配線５の端部から外装４に向けて嵌合させ、配線５並びにシールド部材２の先端側に第１固定部１ｂが位置するように押し込む。そして、配線用ダストカバー１の第１固定部１ｂから露出した配線５の末端の端子を相手部材３に接続することによって、相手部材３を配線５に接続させる。その後、第１固定部１ｂを相手部材３の外周面１４に、第２固定部１ｃを外装４の外周面１４にそれぞれ嵌合させてから固定する。尚、本配線用ダストカバー１は、第１固定部１ｂを先に固定しても良いし、第２固定部１ｃを先に固定しても良い。
【００４２】
ここで、第１固定部１ｂの相手部材３への固定に際しては、まず、外装４から露出したシールド部材２の先端側を拡げた状態で第１固定部１ｂの内周面９に沿わせるように配置してから、延長舌部１７を内側に折り返すことで、延長舌部１７と第１固定部１ｂとの間でシールド部材２を挟持させる。このとき、配線用ダストカバー１は、ゴム等の弾性部材で構成されていると共に、第１固定部１ｂと延長舌部１７との境界に薄肉部１８が形成されているため、延長舌部１７を第１固定部１ｂの内周面９側に容易に折り返すことができる。そして、シールド部材２を第１固定部１ｂと折り返した延長舌部１７との間で挟み込んだ状態のまま、相手部材３の外周面１４に第１固定部１ｂを嵌合させる。このとき、第１固定部１ｂの先端開口側、即ち内側に折り返された延長舌部１７の折り返し部分である薄肉部１８付近から相手部材３の端部８に当たって、延長舌部１７が第１固定部１ｂの内周面９側に付勢されながら押し込まれることとなるので、シールド部材２が第１固定部１ｂと延長舌部１７との間に挟み込まれたまま相手部材３に装着される（図３（Ａ）参照）。
【００４３】
そして、延長舌部１７の先端の突起部１９が相手部材３の端部８に当接するところまで、第１固定部１ｂが押し込まれて相手部材３に装着される（図３（Ｂ）参照）。本実施形態の場合、延長舌部１７の先端に径方向内側及び外側の双方に膨れた軸断面球状の突起部１９が設けられているので、突起部１９が相手部材３の端部８に当接すると、抵抗を感じる。そこで、その抵抗を感じた地点を第１固定部１ｂの適正な取り付け位置として判断すること、即ち第１固定部１ｂの取り付け位置として特定することが容易にできる。
【００４４】
次いで、第１固定部用クランプ６で第１固定部１ｂの周りから締め付けて相手部材３に固定する。このとき、第１固定部１ｂの内側には、折り返された延長舌部１７と、該延長舌部１７との間で挟持されているシールド部材２とが挟み込まれているので、第１固定部の外周面からクランプで固定することで、ダストカバーとシールド部材とを一つのクランプで固定することができる。そして、延長舌部１７と相手部材３との接触面がシール面となって異物に対し密封性を確保することができる。同時に、第１固定部１ｂとその内側（内周面側）に折り返された延長舌部１７との間で挟み込まれたシールド部材２は、連続成形された第１固定部１ｂと薄肉部１８及び延長舌部１７とで覆われて大気に露出されることがない。したがって、シールド部材２として細い金属線（銅線）を編み込んだ編組線を用いても、シールド部材の隙間から大気中の異物が侵入することがない。
【００４５】
他方、第２固定部１ｃの外装４への固定は、例えば蛇腹状の本体胴部１ａを伸ばしながら、第２固定部１ｃを外装４の外周面に嵌合させ、第２固定部用クランプ７によって締め付け固定する。
【００４６】
なお、上述の形態は本発明の好適な形態の一例ではあるがこれに限定されるものではなく本発明の要旨を逸脱しない範囲において種々変形実施可能である。例えば、上述の実施形態では、配線用ダストカバー１の本体胴部１ａは蛇腹状に形成されているがこれに特に限られるものではなく、蛇腹を形成しない単なる筒状でも良い。また、蛇腹も、正弦波状の蛇腹に形成しても良いし、コルゲートチューブのような矩形波状の凹凸に形成しても良い。即ち、少なくとも第１固定部１ｂ及び第２固定部１ｃの形状が嵌合相手の輪郭形状に適合しておれば足り、本体胴部１ａの形状には左右されない。
【００４７】
また、本実施形態の配線用ダストカバー１においては、第２固定部１ｃ側も第２固定部側用クランプで固定しているが、これに特に限定されず、外装４がコルゲートチューブの場合、第２固定部１ｃの内周面に少なくとも１つの凸部を形成し、蛇腹の間即ち溝（凹部）に嵌める等の方法で取付けるようにしても良い。この場合には、コルゲートチューブ４の外周面の凹凸と対応する第２固定部１ｃの内周面の凹凸が噛み合う位置まで第２固定部１ｃを押し込んで嵌合させることによって、第２固定部用クランプ７を用いずに固定すると共に密封できる。
【００４８】
また、本実施形態の配線用ダストカバー１は、本体胴部１ａとその両端の第１固定部１ｂ及び第２固定部１ｃとを筒状に一体成形されたものとして主に説明しているが、これに特に限られるものでは無く、半割可能な割型タイプとして成形し、結線された配線と相手部材とに跨がるように割型タイプの配線用ダストカバーを配置してから分割面を重ね合わせて連結手段で連結したり、レーザー溶着などで密封することによって密封構造を得るようにしても良い。
【符号の説明】
【００４９】
１  配線用ダストカバー
１ａ  本体胴部
１ｂ  第１固定部
１ｃ  第２固定部
２  シールド部材
３  相手部材
４  外装
５  配線
６  第１固定部用クランプ
７  第２固定部用クランプ
８  相手部材の端部
９  第１固定部の内周面
１０  第１固定部の外周面
１１  外装の外周面
１２  第２固定部の外周面
１３  第２固定部の内周面
１４  相手部材の外周面
１５  内部空間
１６  結線領域
１７  延長舌部
１８  薄肉部
１９  突起部
【図１】
2015185499.tif 000003
【図２】
2015185499.tif 000004
【図３】
2015185499.tif 000005
【図４】
2015185499.tif 000006